(57)【要約】      （修正有）【課題】閲覧者が紙文書の変更履歴を正確かつ容易に理解できる、紙文書の変更履歴表示システムを提供する。【解決手段】紙文書の変更履歴表示システムは、画像形成装置と、表示端末とを備える。表示端末は、頭部装着型表示端末であって、画像形成装置と通信可能に接続されている。画像形成装置は、文書データ格納部と、画像形成要求受け付け部５１と、文書データ取得部５３と、画像形成部と、格納データ有無判断部５４と、差分抽出部５５と、画像形成装置通信部とを備える。表示端末は、データ格納部と、表示部と、撮像部と、注視ページ特定部と、表示制御部と、を備える。表示制御部は、注視ページ特定部により検出された注視画像に基づき、注視画像を含む文書データ内の特定のページの文書の映像および差分の映像を電子画像として表示部に表示するよう制御する。【選択図】図３
2017199297.tif 000002
【特許請求の範囲】
【請求項１】
紙文書の変更履歴を表示する変更履歴表示システムであって、
用紙上に文書の画像を形成し、前記用紙を前記紙文書として出力する画像形成装置と、
頭部装着型表示端末であって、前記画像形成装置と通信可能に接続された表示端末と、
を備え、
前記画像形成装置は、
文書データを格納する文書データ格納部と、
前記文書の画像形成の要求を受け付ける画像形成要求受け付け部と、
前記文書データを取得する文書データ取得部と、
前記画像形成要求受け付け部により前記画像形成の要求が受け付けられると、前記文書データ取得部により取得された前記文書データに基づき、前記用紙上に前記文書の画像を形成する画像形成部と、
前記文書データ格納部内に、前記文書データ取得部により取得された前記文書データよりも古いバージョンの文書データが格納されているか否かを判断する格納データ有無判断部と、
前記格納データ有無判断部により、前記文書データ格納部内に前記古いバージョンの文書データが格納されていると判断されると、前記文書データのバージョン間の差分を抽出する差分抽出部と、
前記文書データ取得部により取得された前記文書データと、前記差分抽出部により前記差分が抽出された場合には前記差分のデータと、を含む差分情報付加データを前記表示端末に送信する画像形成装置通信部とを備え、
前記表示端末は、
前記画像形成装置通信部から送信された前記差分情報付加データを受信する表示端末通信部と、
前記表示端末通信部により受信された前記差分情報付加データを記憶する記憶部と、
前記装着者により、前記画像形成部から出力された前記紙文書が閲覧された状態において、前記紙文書の像を撮像する撮像部と、
前記撮像部により撮像された像と、前記記憶部に記憶された前記差分情報付加データとに基づき、前記装着者が注視している前記文書データ内のページを特定する注視ページ特定部と、
前記表示端末を頭部に装着した装着者が視認可能な電子画像を表示すると共に、外景を透過しうる光学透過式のレンズを有する表示部と、
前記差分情報付加データが前記差分のデータを含んでいるか否かを判断する差分データ有無判断部と、
前記差分データ有無判断部により前記差分情報付加データが前記差分のデータを含んでいると判断されると、前記注視ページ特定部により特定された前記ページに対応する前記差分を、前記電子画像として前記表示部に表示するよう制御する表示制御部と、を備える、変更履歴表示システム。
【請求項２】
前記表示端末は、さらに、前記表示部に表示される前記電子画像の基礎となる前記差分を選択する要求を受け付ける差分選択キーを備え、
前記表示制御部は、前記差分選択キーにより選択された前記差分を、前記電子画像として前記表示部に表示するよう制御する、請求項１に記載の変更履歴表示システム。
【請求項３】
前記表示端末は、メガネ型ウェアラブル端末である、請求項１または２に記載の変更履歴表示システム。
【請求項４】
前記画像形成部は、前記文書データのバージョンの情報を関連付けた画像を埋め込んで前記画像を形成する、請求項１〜３のいずれか１項に記載の変更履歴表示システム。
【請求項５】
前記バージョンの情報を関連付けた前記画像は、二次元コードである、請求項４に記載の変更履歴表示システム。
【請求項６】
さらに、前記画像形成装置と通信可能に接続された、前記文書データを作成または編集する編集端末を備える、請求項１〜５のいずれか１項に記載の変更履歴表示システム。
【発明の詳細な説明】
【技術分野】
【０００１】
この発明は、紙文書の変更履歴表示システムに関する。
【背景技術】
【０００２】
従来、電子文書の内容が変更された場合に、その変更履歴がひと目でわかるように変更前の文書と変更後の文書の差分を電子文書に表示する方法は知られている。
【０００３】
例えば、特許文献１には、ドキュメント管理サーバとメールサーバと利用者端末とがネットワークを介して接続された文書更新管理システムが開示されている。このシステムにおいては、変更履歴に応じて版数情報を挿入してドキュメントを登録しておき、閲覧すべき者の閲覧済版数に応じてドキュメント変更箇所を強調表示する。
【先行技術文献】
【特許文献】
【０００４】
【特許文献１】特開２０１１−０７０５１９号公報
【発明の概要】
【発明が解決しようとする課題】
【０００５】
技術の発達により電子文書が多く用いられるようになったものの、未だ紙文書も広く使用されている。電子文書と比較して、紙文書は、文書を表示するための装置が不要で、一覧性が高く、改ざんされにくいという利点がある。
【０００６】
しかしながら、電子文書の原稿のデータを維持しつつ変更履歴を強調表示する特許文献１に開示された技術は、電子文書に特有の技術であり、紙文書に対しては適用することができない。そのため、例えば、編集者が文書を修正し、閲覧者に回覧する場合、閲覧者がその修正された文書を一見しただけでは変更箇所を把握することができない。また、変更前と変更後の文書を見比べて閲覧者が手作業で変更履歴を抽出することで変更箇所の確認はできるが、閲覧者が変更箇所を見落としたり、変更箇所を誤解したりするおそれがあった。
【０００７】
この発明の目的は、変更された紙文書を閲覧した際に、閲覧者が変更履歴を正確かつ容易に把握することができる、紙文書の変更履歴を表示するシステムを提供することである。
【課題を解決するための手段】
【０００８】
この発明の一の局面は、紙文書の変更履歴を表示する変更履歴表示システムに関する。上記変更履歴表示システムは、画像形成装置と、表示端末とを備える。画像形成装置は、用紙上に文書の画像を形成し、その用紙を紙文書として出力する。表示端末は、頭部装着型表示端末であって、画像形成装置と通信可能に接続されている端末である。
【０００９】
画像形成装置は、文書データ格納部と、画像形成要求受け付け部と、文書データ取得部と、画像形成部と、格納データ有無判断部と、差分抽出部と、画像形成装置通信部とを備える。
【００１０】
文書データ格納部は、文書データを格納する。画像形成要求受け付け部は、文書の画像形成の要求を受け付ける。文書データ取得部は、文書データを取得する。画像形成部は、画像形成要求受け付け部により画像形成の要求が受け付けられると、文書データ取得部により取得された文書データに基づき、用紙上に文書の画像を形成する。
【００１１】
格納データ有無判断部は、文書データ格納部に、文書データ取得部により取得された文書データよりも古いバージョンの文書データが格納されているか否かを判断する。
【００１２】
差分抽出部は、格納データ有無判断部により、文書データ格納部に古いバージョンの文書データが格納されていると判断されると、文書データのバージョン間の差分を抽出する
【００１３】
画像形成装置通信部は、文書データ取得部により取得された文書データと、差分抽出部により差分が抽出された場合には差分のデータと、を含む差分情報付加データを表示端末に送信する。
【００１４】
表示端末は、表示端末通信部と、記憶部と、撮像部と、注視ページ特定部と、表示部と、差分データ有無判断部と、表示制御部と、を備える。
【００１５】
表示端末通信部は、画像形成装置通信部から送信された前記差分情報付加データを受信する。記憶部は、表示端末通信部により受信された前記差分情報付加データを記憶する。
【００１６】
撮像部は、装着者により、画像形成部から出力された紙文書が閲覧された状態において、外景として紙文書の像を撮像する。
【００１７】
注視ページ特定部は、撮像部により撮像された像と、記憶部に記憶された差分情報付加データとに基づき、装着者が注視している文書データ内のページを特定する。
【００１８】
表示部は、表示端末を頭部に装着した装着者が視認可能な電子画像を表示すると共に、外景を透過しうる光学透過式のレンズを有する表示部である。
【００１９】
差分データ有無判断部は、差分情報付加データが上記差分のデータを含んでいるか否かを判断する。
【００２０】
表示制御部は、差分データ有無判断部により差分情報付加データが上記差分のデータを含んでいると判断されると、注視ページ特定部により特定されたページに対応する差分を、電子画像として表示部に表示するよう制御する。
【発明の効果】
【００２１】
この発明においては、頭部装着型の表示端末を装着した状態で装着者が紙文書を閲覧すると、古いバージョンの文書データと、更新された新しいバージョンの文書データとの間の差分が、電子画像として表示端末の表示部に表示される。この差分は、バージョン間の変更履歴を表す。そのため、変更履歴を文書上に表示することができない紙文書を閲覧する場合であっても、閲覧者は、修正された変更箇所を正確かつ容易に把握できる。
【図面の簡単な説明】
【００２２】
【図１】この発明の一実施形態に係る変更履歴表示システムの全体図である。
【図２】この発明の一実施形態に係る変更履歴表示システムの構成を示すブロック図である。
【図３】画像形成装置（複合機）の制御部の構成を示すブロック図である。
【図４】表示端末（メガネ型ウェアラブル端末）の制御部の構成を示すブロック図である。
【図５】第１のバージョンから第２のバージョンへの紙文書の変更履歴を示す図である。
【図６】この発明の一実施形態に係る変更履歴表示システムのうち、紙文書の出力時の、画像形成装置における処理の流れを示すフローチャートである。
【図７】この発明の一実施形態に係る変更履歴表示システムのうち、紙文書の閲覧時の、メガネ型ウェラブル端末における処理の流れを示すフローチャートである。
【図８】メガネ型ウェアラブル端末の装着者が、表示レンズを通して第２のバージョンの紙文書を視認した状態を示す模式図である。
【図９】第２のバージョンから第３のバージョンへの紙文書の変更履歴を示す図である。
【図１０】第３バージョンの文書データの、第２バージョンの文書データからの変更箇所を示す変更履歴表示の電子画像が、吹き出し状に表示されている状態の一例を示す図である。
【図１１】第３バージョンの文書データの、第１バージョンの文書データからの変更箇所を示す変更履歴表示の電子画像が、吹き出し状に表示されている状態の一例を示す図である。
【発明を実施するための形態】
【００２３】
以下、この発明の実施の形態を説明する。図１は、この発明の一実施形態に係る、紙文書の変更履歴を表示するための変更履歴表示システムの全体図である。図２は、この発明の一実施形態に係る上記変更履歴表示システムの構成を示すブロック図である。
【００２４】
図１〜図２を参照して、この発明の一実施形態に係る、紙文書の変更履歴を表示するための変更履歴表示システム１は、画像形成装置としての複合機１１と、頭部装着型表示端末の１つであるメガネ型ウェアラブル端末２８と、文書データを作成または編集する編集端末としてのコンピューター２６とを備える。メガネ型ウェアラブルデバイス２８は、表示部として、２つの光学透過式の表示レンズ３４を備えている。図１に示すように、複合機１１から紙文書１００が出力された後、メガネ型ウェアラブル端末２８の装着者は、表示レンズ３４を通して、紙文書１００を閲覧する。
【００２５】
図２を参照して、画像形成装置としての複合機１１は、制御部１２と、表示操作部１３と、画像読み取り部１４と、画像形成部１５と、ハードディスク１６と、ファクシミリ通信部１７と、画像形成装置通信部としてのネットワークインターフェース部１８とを備える。
【００２６】
制御部１２は、複合機１１全体の制御を行う。表示操作部１３は、複合機１１側から発信する情報やユーザーの入力内容を表示する表示画面２１を含む。表示操作部１３は、印刷部数や階調性等の画像形成の条件や電源のオンまたはオフを入力させる。
【００２７】
画像読み取り部１４は、セットされた原稿を自動的に読み取り位置へ搬送する自動原稿搬送装置（ＡＤＦ（Ａｕｔｏ  Ｄｏｃｕｍｅｎｔ  Ｆｅｅｄｅｒ））２２を含む。画像読み取り部１４は、ＡＤＦ２２によって搬送された原稿の画像や載置台上に載置された原稿の画像を読み取る。
【００２８】
画像形成部１５は、画像読み取り部１４により読み取られた画像や、ネットワーク５を介してコンピューター２６などから送信された画像データを基に用紙上に画像を形成する。画像形成部１５により画像を形成された用紙は、紙文書１００として複合機１１の排出トレイ３０に排出される。
【００２９】
ハードディスク１６は、送信された画像データや入力された画像処理条件等の格納を行う。ハードディスク１６は、文書データ格納部２５を含む。文書データ格納部２５は、文書データを格納する。ファクシミリ通信部１７は、公衆回線２４に接続されており、ファクシミリ送信やファクシミリ受信を行う。
【００３０】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）や現像剤によって形成された可視化像を転写する用紙を搬送する用紙搬送部等を備えるが、これらについては、図示および説明を省略する。また、図２中の矢印は、制御信号や制御、画像に関するデータの流れを示している。
【００３１】
複合機１１は、画像読み取り部１４により読み取られた原稿を用いて画像形成部１５において画像を形成し、用紙に印刷することにより、複写機として作動する。また、複合機１１は、画像形成装置通信部としてのネットワークインターフェース部１８を通じて、ネットワーク５に接続されたコンピューター２６から送信された画像データを用いて、画像形成部１５において画像を形成し、用紙に印刷することにより、プリンターとして作動する。すなわち、複合機１１は、画像処理に関し、複写機能、プリンター機能等の複数の機能を有する。さらに、各機能に対しても、詳細に設定可能な機能を有する。
【００３２】
表示端末としてのメガネ型ウェアラブル端末２８は、頭部装着型表示端末の一種である。表示端末２８は、制御部３２と、表示部としての光学透過式の表示レンズ３４と、撮像部としての撮像カメラ３５と、記憶部としての半導体メモリ３６と、差分選択キー３７と、表示端末通信部としてのネットワークインターフェース部３８とを備える。
【００３３】
制御部３２は、メガネ型ウェアラブル端末２８全体の制御を行う。
【００３４】
表示端末通信部としてのネットワークインターフェース部３８は、複合機１１のネットワークインターフェース部１８と通信可能に接続されており、ネットワークインターフェース部３８と、複合機１１のネットワークインターフェース部１８との間でデータを送受信する。特に、ネットワークインターフェース部３８は、複合機１１の画像形成装置通信部としてのネットワークインターフェース部１８から送信された差分情報付加データ（すなわち、文書データと、存在する場合にはバージョン間の差分のデータとを含むデータ）を受信する。
【００３５】
記憶部としての半導体メモリ３６は、送信された画像データや入力された画像処理条件等の格納を行う。また半導体メモリ３６は、記憶部として機能し、ネットワークインターフェース部３８により受信された上記差分情報付加データを記憶する。
【００３６】
撮像部としての撮像カメラ３５は、装着者により画像形成部から出力された紙文書１００が閲覧された状態において、その紙文書１００の像を撮像する。
【００３７】
表示部としての表示レンズ３４は、メガネ型ウェアラブル端末２８を頭部に装着した装着者が視認可能な電子画像を表示する。表示レンズ３４には、２つのバージョンの文書データの間の差分が電子画像として表示される。また表示レンズ３４は外景を透過しうる光学透過式のレンズを有する。メガネ型ウェアラブル端末２８を装着した装着者は、表示レンズ３４に表示された電子画像とともに、表示レンズ３４を通して外景（例えば紙文書１００の画像など）を目視することができる。
【００３８】
差分選択キー３７は、表示レンズ３４に表示される電子画像の基礎となる差分のデータを選択する要求を受け付ける。例えば、表示レンズ３４に表示できる差分のデータが複数存在する場合、そのうち１つの差分のデータを選択して、その差分の電子画像を表示レンズ３４上に表示させることができる。
【００３９】
次に、複合機１１とメガネ型ウェアラブル端末２８の制御部１２および３２の構成についてそれぞれ説明する。
【００４０】
図３は、複合機１１の制御部１２の構成を示すブロック図である。制御部１２は、画像形成要求受け付け部５１と、文書データ取得部５３と、格納データ有無判断部５４と、差分抽出部５５と、を備える。
【００４１】
画像形成要求受け付け部５１は、複合機１１の表示操作部１３の操作により、あるいはコンピューター２６の操作により入力された、ユーザーからの文書の画像形成の要求を受け付ける。
【００４２】
文書データ取得部５３は、たとえば画像読み取り部１４により原稿を読み取るか、またはネットワーク５に接続されたコンピューター２６から送信された文書データを受信することにより、文書データを取得する。上述の画像形成部１５は、画像形成要求受け付け部５１により画像形成の要求が受け付けられると、文書データ取得部５３により取得された文書データに基づき、用紙上に文書の画像を形成する。
【００４３】
格納データ有無判断部５４は、文書データ格納部２５内に、文書データ取得部５３により取得された文書データよりも古いバージョンの文書データが格納されているか否かを判断する。
【００４４】
差分抽出部５５は、格納データ有無判断部５４により文書データ格納部２５内に上記古いバージョンの文書データが格納されていると判断されると、文書データのバージョン間の差分を抽出する。
【００４５】
図４は、表示端末であるメガネ型ウェアラブル端末２８の制御部３２の構成を示すブロック図である。制御部３２は、注視ページ特定部６１と、差分データ有無判断部６２と、表示制御部６３とを備える。
【００４６】
注視ページ特定部６１は、撮像カメラ３５により撮像された紙文書１００の像に基づいて、装着者が注視している、文書データ内の文書の画像を特定する。
【００４７】
差分データ有無判断部６２は、上記差分情報付加データが差分のデータを含んでいるか否かを判断する。
【００４８】
表示制御部６３は、差分データ有無判断部６２により上記差分情報付加データが差分のデータを含んでいると判断されると、注視ページ特定部６１により特定されたページに対応する差分を、電子画像として表示レンズ３４に表示するよう制御する。
【００４９】
次に、この発明の一実施形態に係る、紙文書の変更履歴表示システム１により、紙文書の形成、および紙文書の閲覧を行う場合の流れについて説明する。
【００５０】
図５は、この実施形態における、第１のバージョンから第２のバージョンへの紙文書の変更履歴を示す図である。図５を参照して、第１のバージョンの文書データ（以降、Ｖ１データと呼ぶ）は、第２のバージョンの文書データ（以降、Ｖ２データと呼ぶ）に更新されている。図５を参照して、紙文書１０１は、Ｖ１データに基づいて画像形成され、出力されたものである。また紙文書１０２は、Ｖ２データに基づいて画像形成され、出力されたものである。図５を参照して、紙文書１０２においては、紙文書１０１の第１の文字列７１が、第１の修正文字列８１に変更されている。
【００５１】
図６は、この発明の一実施形態に係る紙文書の変更履歴表示システム１のうち、紙文書の出力時の、画像形成装置としての複合機１１における処理の流れを示すフローチャートである。（図６におけるステップＳ１１〜Ｓ１７。以下、「ステップ」を省略する）。
【００５２】
図６を参照して、複合機１１の画像形成要求受け付け部５１は、ユーザーが入力した文書画像の形成の要求を受け付ける（Ｓ１１）。文書画像の形成の要求は、ネットワーク５に接続されたコンピューター２６から複合機１１に向けて送信されるか、複合機１１の表示操作部１３の操作により入力される。画像形成受け付け部５１により文書画像の形成の要求が受け付けられると、文書データ取得部５３は、ネットワーク５に接続されたコンピューター２６を介して、または画像読み取り部１４を通して、文書の画像の基礎となるＶ２データを取得する（Ｓ１２）。
【００５３】
次に画像形成部１５は、文書データ取得部５３により取得されたＶ２データに基づき、用紙上に文書の画像を形成する（Ｓ１３）。画像が形成された用紙は、図５に示す紙文書１０２として複合機１１の排出トレイ３０に排出される。このとき、画像形成部１５は、紙文書内１０２に、Ｖ２データのバージョンの情報を関連付けた画像（例えば二次元コードなど）を埋め込むように上記画像を形成することもできる。
【００５４】
次に格納データ有無判断部５４は、文書データ格納部２５内に、Ｖ２データよりも古いバージョンのＶ１データが存在するか否かを判断する（Ｓ１４）。紙文書１０２を出力した時点では、既にＶ１データが文書データ格納部内２５内に格納されているので、格納データ有無判断部５４は、Ｖ１データが存在すると判断する（Ｓ１４において、ＹＥＳ）。
【００５５】
格納データ有無判断部５４により、文書データ格納部２５内にＶ１データが存在すると判断されると、差分抽出部５５は、Ｖ１データとＶ２データとの間の差分Ｄ１を抽出する（Ｓ１５）。この差分Ｄ１は、変更履歴や修正履歴とも呼ばれる。差分Ｄ１の抽出には、公知の差分解析プログラムや差分解析アプリケーションなどを利用することができる。差分Ｄ１のデータは、Ｖ２データ（より新しい方の文書データ）およびバージョンの情報と関連付けられて文書データ格納部２５内に格納される（Ｓ１６）。
【００５６】
なお、Ｖ１データに基づき紙文書１０１を出力する場合には、文書データ格納部２５内にＶ１データよりも古い文書データが存在しないことから、差分の抽出が行われない（Ｓ１４において、ＮＯ）。そのため、この場合には、Ｖ１データとバージョンの情報とが関連付けられて文書データ格納部２５内に格納される（Ｓ１７）。このとき差分のデータは格納されるデータには含まれない。
【００５７】
次に、メガネ型ウェアラブル端末２８の装着者が紙文書１０２を閲覧する場合の処理の流れについて説明する。図７は、この発明の一実施形態に係る変更履歴表示システムのうち、紙文書１０２の閲覧時の、メガネ型ウェラブル端末２８における処理の流れを示すフローチャートである（図７におけるＳ２１〜Ｓ３０）。
【００５８】
まずメガネ型ウェアラブル端末２８は、紙文書１０２を閲覧しようとする者の頭部に装着される（Ｓ２１）。その後、メガネ型ウェアラブル端末２８と複合機１１との間で通信が開始される（Ｓ２２）。
【００５９】
次に、メガネ型ウェアラブル端末２８のネットワークインターフェース部３８は、複合機１１のネットワークインターフェース部１８から送信される差分情報付加データ（Ｖ２データと、差分抽出部５５により抽出された差分Ｄ１のデータと、を含むデータ）を受信する（Ｓ２３）。ネットワークインターフェース部３８により受信された上記差分情報付加データは、メガネ型ウェアラブル端末２８の半導体メモリ（記憶部）３６に記憶される（Ｓ２４）。
【００６０】
次にメガネ型ウェアラブル端末２８の装着者は、光学透過式の表示レンズ３４を通して、紙文書１０２の像を視認する。
【００６１】
図８は、メガネ型ウェアラブル端末２８の装着者が、表示レンズ３４を通して紙文書１０２を視認した状態を示す模式図である。メガネ型ウェアラブル端末２８の装着者が紙文書１０２の像を視認した状態において、撮像カメラ３５は、閲覧者の視野範囲にある紙文書１０２の像を撮像する（Ｓ２５）。撮像カメラ３５により撮像される像は、閲覧者が視認する像と一致するように調整されている。
【００６２】
次に、注視ページ特定部６１は、撮像カメラ３５により撮像された紙文書１０２の像と、半導体メモリ３６に記憶された上記差分情報付加データとに基づき、装着者が注視している、Ｖ２データ内のページを特定する（Ｓ２６）。
【００６３】
ここで、差分データ有無判断部６２は、上記差分情報付加データが差分のデータを含んでいるか否かを判断する（Ｓ２７）。上述の通り、上記差分情報付加データは差分Ｄ１のデータを含んでいる。したがって、差分データ有無判断部６２は上記差分情報付加データが差分Ｄ１のデータを含んでいると判断する（Ｓ２７において、ＹＥＳ）。
【００６４】
差分データ有無判断部６２により、上記差分情報付加データが差分Ｄ１のデータを含んでいると判断されると、装着者は、差分選択キー３７を操作することにより、差分Ｄ１を指定することができる（Ｓ２８）。
【００６５】
図８は、メガネ型ウェアラブル端末２８の装着者が、表示レンズ３４を通して第２のバージョンの紙文書１０２を視認した状態を示す模式図である。図８を参照して、差分選択キー３７により差分Ｄ１の選択要求が入力されると、表示制御部５３は、注視ページに対応する、指定された差分Ｄ１を電子画像として変更履歴表示１０６を表示レンズ３４に表示するよう制御する（Ｓ２９）。変更履歴１０６には、変更前の第１の文字列７１が削除されたことを示す電子表示７５と、第１の文字列７１が第１の修正文字列８１によって置換されたことを示す電子表示８５が含まれている。メガネ型ウェアラブル端末２８の装着者は、変更履歴表示１０６を視認することにより、Ｖ２データにおいて、Ｖ１データから更新された箇所を視覚的に把握することができる。
【００６６】
なお、対応する差分データ存在しない場合（Ｓ２７において、ＮＯ）には上記電子画像は表示レンズ３４に表示されない。以上が第２バージョンの紙文書１０２を閲覧する場合の実施形態に関する説明である。
【００６７】
次に、第２のバージョンの文書データであるＶ２データが、第３のバージョンの文書データ（以降、Ｖ３データと呼ぶ）に更新された場合を想定する。図９を参照して、紙文書１０２は、Ｖ２データに基づいて画像形成され、出力されたものである。また紙文書１０３は、Ｖ３データに基づいて画像形成され、出力されたものである。図９を参照して、紙文書１０３においては、紙文書１０２の第２の文字列７２が、第２の修正文字列８２に更新されている。
【００６８】
ここで、メガネ型ウェアラブル端末２８の装着者が、紙文書１０３を閲覧する場合を説明する。第３のバージョンの紙文書１０３を閲覧する場合の処理の流れは、第２のバージョンの紙文書１０２を閲覧する場合の実施形態における処理の流れと基本的に同じである。ただし、Ｖ３データは、２度の更新を経ていることから、差分としては、Ｖ２データとＶ３データの間の差分（差分Ｄ２と呼ぶ）と、Ｖ１データとＶ３データの間の差分（差分Ｄ１＋差分Ｄ２）の２通りが考えられる。
【００６９】
このように、差分が複数存在する場合には、メガネ型ウェアラブル端末２８の差分選択キー３７を操作することにより、閲覧者が表示レンズ３４に表示したいいずれか１つまたは複数の差分を指定することができる（Ｓ２８）。
【００７０】
例えば、メガネ型ウェアラブル端末２８の装着者が、既に紙文書１０２を閲覧した後、Ｖ２データからＶ３データへの変更部分のみを知りたいときには、紙文書１０３を閲覧する際に、差分選択キー３７を操作することにより、差分Ｄ２を指定すればよい。差分Ｄ２が指定されると、図１０に示すように、表示レンズ３４には、注視ページに対応する、指定された差分Ｄ２を視覚的に示す変更履歴表示１０８の電子画像が吹き出し状に表示される。変更履歴表示１０８には、変更前の第２の文字列７２が削除されたことを示す電子表示７６と、第２の文字列７２が第２の修正箇所８２によって置換されたことを示す電子表示８６が含まれている。変更履歴表示１０８を見た閲覧者は、第２の文字列７２が第２の修正箇所８２によって置換されたことを視覚的に把握できる。
【００７１】
メガネ型ウェアラブル端末２８の装着者が、Ｖ１データからＶ３データへの全ての変更部分を知りたい場合、紙文書１０３を閲覧する際に、差分選択キー３７を切り替えることにより、差分（Ｄ１＋Ｄ２）を指定することができる。このとき、図１１に示すように、表示レンズ３４には、バージョンＡとバージョンＣの間の差分、すなわち差分Ｄ１を視覚的に示す変更履歴表示１０６と、および差分Ｄ１を視覚的に示す変更履歴表示１０８（差分Ｄ２）の両方が吹き出し状に表示される。これらの変更履歴を見た閲覧者は、Ｖ１データからＶ３データに至るまでに変更された全ての箇所を視覚的に把握できる。
【００７２】
また別の実施形態として、コンピューター２６によって文書データを作成または更新した編集者が、第三者の各メガネ型ウェアラブル端末２８にダウンロードされる差分Ｄ１、Ｄ２、または（Ｄ１＋Ｄ２）のデータを、あらかじめ指定または限定しておいてもよい。例えば、編集者が、上司に対し、第２バージョンの紙文書１０２から第３バージョンの紙文書１０３に至る際の変更点である差分Ｄ２のみの確認を依頼する場合、複数の差分のうち、上司が装着するメガネ型ウェアラブル端末２８に送信されるのは差分Ｄ２のみであるよう、メガネ型ウェアラブル端末２８の端末情報と差分Ｄ２のデータを関連付けることによりあらかじめ設定することもできる。
【００７３】
また、端末ごとに送信される差分データの上記指定または限定に関する情報は、文書データ格納部２５に格納されている各バージョンの文書データと関連付けて記憶されていてもよい。
【００７４】
以上が一連の処理の流れである。なお上記実施形態は例示であって、上述のステップおよび構造の一部は省略することもできる。例えば、画像形成装置（複合機１１）の文書データ取得部５３が取得する画像データの取得源は、図１に示すようなコンピューター２６に限られない。そのため、他の取得源から画像データが取得可能な場合にはコンピューター２６は省略することができる。
【００７５】
また上述したように、頭部装着型表示端末はメガネ型ウェアラブルデバイスに限られず、他の頭部装着型表示端末を用いることもできる。頭部装着型端末の例としては、片眼型端末、ゴーグル型端末、ヘルメット型端末などが挙げられる。但し、装着のし易さや装着時の安定性、視認性の高さなどからメガネ型ウェアラブルデバイスが好ましい。
【００７６】
上記実施形態においては、画像形成部１５が、紙文書内１０２に、Ｖ２データのバージョンの情報を関連付けた画像を埋め込むように上記画像を形成してもよい旨説明したが、バージョン情報を関連付けた画像の形成は省略が可能である。
【００７７】
また、文書データ間の選択する要求を受け付ける差分選択キー３７は、必ずしも設ける必要はなく、省略が可能である。また差分選択キー３７の態様は、上記実施形態において説明したキーに限定されない。差分選択キー３７との例としては、キー以外にも例えばスイッチ、ダイヤル、ボタンなどが挙げられる。差分選択キー３７としては、これらのうちいずれのデバイスを用いてもよい。
【００７８】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００７９】
この発明にかかる変更履歴表示システムは、変更された紙文書を閲覧した際に、閲覧者が変更履歴を正確かつ容易に把握することができることが求められる職場や教育現場などにおいて有効に活用することができる。
【符号の説明】
【００８０】
１  紙文書の変更履歴表示システム、５  ネットワーク、１１  複合機、１２  制御部、１３  表示操作部、１４  画像読み取り部、１５  画像形成部、１６  ハードディスク、１７  ファクシミリ通信部、１８  ネットワークインターフェース部、２１  表示画面、２２  ＡＤＦ、２３  現像装置、２４  公衆回線、２５  文書データ格納部、２６  コンピューター、２８  メガネ型ウェアラブルデバイス、３０  排出トレイ、３２  制御部、３４  表示レンズ、３５  撮像カメラ、３６  半導体メモリ、３７  差分選択キー、３８  ネットワークインターフェース部、５１  画像形成要求受け付け部、５３  文書データ取得部、５４  格納データ有無判断部、５５  差分抽出部、６１  注視ページ特定部、６２  差分データ有無判断部、６３  表示制御部、７１  第１の文字列、７２  第２の文字列、７５  電子画像、７６  電子画像、８１  第１の修正文字列、８２  第２の修正文字列、８５  電子画像、８６  電子画像、１００  文書、１０１  第１のバージョンの紙文書、１０２  第２のバージョンの紙文書、１０３  第３のバージョンの紙文書、１０６  変更履歴表示、１０８  変更履歴表示。
【図１】
2017199297.tif 000003
【図２】
2017199297.tif 000004
【図３】
2017199297.tif 000005
【図４】
2017199297.tif 000006
【図５】
2017199297.tif 000007
【図６】
2017199297.tif 000008
【図７】
2017199297.tif 000009
【図８】
2017199297.tif 000010
【図９】
2017199297.tif 000011
【図１０】
2017199297.tif 000012
【図１１】
2017199297.tif 000013